(57)【要約】【課題】隣接する建造物の床間の目地に差し渡されて該目地を覆うカバー体と、該カバー体の一端に配設されたスライダーと、一方の床の側縁に配設されて前記スライダーを目地に沿う方向に摺動可能に支持するレール部材とを備えた床用目地カバー装置にあって、カバー体の一端と、該カバー体に対向する床の側縁との間に隙間が生じることがないようにした構成を提供する。【解決手段】スライダー１６を支持するレール部材１７の受縁部を、一方の建造物側に向けて下方傾斜する傾斜受縁部１７ａとし、スライダー１６に、該スライダー１６を一方の建造物Ａ側に向けて偏寄移動させる力を常に作用させるようにした。これにより、カバー体Ｃの一端を一方の建造物Ａの床ｆ１　の側縁に密着させておけば、定常時において、カバー体Ｃ上を人や自動車が通行することによって振動が生じても、カバー体Ｃが位置保持され、カバー体Ｃの一端と床ｆ１　の側縁との間に隙間が生じることがない。【選択図】　　図４
2004092019.tif 000002
【特許請求の範囲】
【請求項１】
隣接する建造物の床間の目地に差し渡されて該目地を覆うカバー体と、該カバー体の一端に配設されたスライダーと、一方の床の側縁に配設されて前記スライダーを目地に沿う方向に摺動可能に支持するレール部材とを備えた床用目地カバー装置において、
前記スライダーを支持するレール部材の受縁部を、一方の建造物側に向けて下方傾斜する傾斜受縁部としたことを特徴とする床用目地カバー装置。
【請求項２】
レール部材の傾斜受縁部に支持されるスライダーの下部に、該傾斜受縁部と同方向に傾斜する傾斜面を設けたことを特徴とする請求項１に記載した床用目地カバー装置。
【発明の詳細な説明】
【０００１】
【発明の属する技術分野】
本発明は、隣接する建造物の床間の目地を覆う床用目地カバー装置に関する。
【０００２】
【従来の技術】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって、特願２００２−１８５３０１号として先に出願されている。
【０００３】
先願にかかる床用目地カバー装置において、図９に示すように、隣接する建造物の床間の目地ｓに差し渡されて該目地ｓを覆うカバー体Ｃの一端にスライダーａを配設し、一方の建造物Ａの床ｆ１　の側縁に、前記スライダーａを目地ｓに沿う方向に摺動可能に支持するレール部材ｂを配設した構成が提案されている。かかる構成にあっては、地震時に、隣接する建造物の床相互が前後方向（目地ｓに沿う方向）に相対変位すると、レール部材ｂに支持されたスライダーａの摺動作用を介して、カバー体Ｃの一端が一方の床ｆ１　の側縁に沿って前後方向に摺動して、その相対変位に追従する。これにより、床用目地カバー装置を、カバー体Ｃの他端の前後両側に壁等の立上がり部が形成されている場所に適用し得るようにしている。
【０００４】
【発明が解決しようとする課題】
ところで、上記床用目地カバー装置にあっては、レール部材ｂを構成する受縁部ｃが水平であるため、施工時にカバー体Ｃの一端を床ｆ１　の側縁に密着させておいても、カバー体Ｃ上を人や自動車が通行する時に生ずる振動によって、カバー体Ｃが次第にずれて、図９に示すように、床ｆ１　の側縁との間に隙間ｄができてしまう。このため、見た目が悪く、また、該隙間ｄに砂やゴミ等の異物が入り込む虞があった。
【０００５】
本発明は、かかる従来の問題点を解消し得る床用目地カバー装置を提供することを目的とするものである。
【０００６】
【課題を解決するための手段】
本発明は、隣接する建造物の床間の目地に差し渡されて該目地を覆うカバー体と、該カバー体の一端に配設されたスライダーと、一方の床の側縁に配設されて前記スライダーを目地に沿う方向に摺動可能に支持するレール部材とを備えた床用目地カバー装置において、前記スライダーを支持するレール部材の受縁部を、一方の建造物側に向けて下方傾斜する傾斜受縁部としたことを特徴とする床用目地カバー装置である。
【０００７】
ここで、上記構成は、カバー体の他端を自由端とし、該自由端が他方の建造物の床側縁上に少なくとも目地幅方向に摺動可能に乗載される床用目地カバー装置に好適に適用される。
【０００８】
かかる構成にあって、レール部材の傾斜受縁部が一方の建造物側に向けて下方傾斜していることにより、該傾斜受縁部に支持されているスライダーには、該スライダーを一方の建造物側に向けて偏寄移動させる力が常に作用する。これにより、カバー体の一端を一方の建造物の床の側縁に密着させておけば、カバー体上を人や自動車が通行することによって振動が生じても、カバー体が位置保持され、カバー体の一端と床の側縁との間に隙間が生じることがない。
【０００９】
また、レール部材の傾斜受縁部に支持されるスライダーの下部に、該傾斜受縁部と同方向に傾斜する傾斜面を設ける構成が提案される。かかる構成にあっては、スライダーの下部がレール部材の傾斜受縁部に面接触することにより、カバー体の荷重が分散されて摩擦抵抗が低減するため、傾斜受縁部の低位側へのスライダーの偏寄移動を容易に行わせることができる。
【００１０】
【発明の実施の形態】
以下に、本発明の一実施例を、図１〜図８に基づいて説明する。
図面において、Ａは緩衝機能を備えた免震装置（図示省略）によって下部が支持された免震構造の建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１１】
前記建造物Ｂの床ｆ２　の側縁には、図面において左右方向（目地ｓの幅方向）に比較的長い水平受縁１ａと、該水平受縁１ａの外端から床ｆ２　の上面に向けて上方傾斜する傾斜受縁１ｂとを備えた摺動受枠体１が配設されている。該摺動受枠体１は、図２に示すように、カバー体Ｃを配置した状態において、その目地ｓに沿うカバー体Ｃの前後幅に対応する所定の長さに形成されている。
【００１２】
建造物Ａの床ｆ１　と建造物Ｂの床ｆ２　の間には、カバー体Ｃが差し渡され、目地ｓを覆っている。該カバー体Ｃは、図２に示すように、目地ｓに沿う方向に複数個が連続状に配設されるものであって、各カバー体Ｃは、図１に示すように、その一端の下部が建造物Ａの床ｆ１　の側縁に、後述する保持手段５を介して少なくとも目地ｓの幅方向に移動不能に保持され、他端を自由端としており、該自由端が前記摺動受枠体１の水平受縁１ａ上に摺動可能に乗載されている。ここで、建造物Ｂの床ｆ２　の側縁には、図２に示すように、両端に位置するカバー体Ｃ，Ｃの側傍に建造物Ｂを構成する壁等の立ち上がり部１４，１４が形成されており、該立ち上がり部１４，１４が両端のカバー体Ｃ，Ｃの側縁に夫々当接することによって、各カバー体Ｃの自由端が前後方向（目地ｓに沿う方向）に移動不能に位置規制されている。これにより、各カバー体Ｃの自由端は建造物Ｂ側において左右方向（目地ｓの幅方向）にのみ摺動し得るようになっている。
【００１３】
カバー体Ｃの自由端は、その端縁３と前記摺動受枠体１の傾斜受縁１ｂとの間に適宜幅の空隙が生じるようにして水平受縁１ａ上に乗載されており、この空隙を作動空隙２としている。また、カバー体Ｃの自由端が乗載される摺動受枠体１の水平受縁１ａ上には、上面にテフロンコーティング等の滑性面を形成した薄板状のパッキン１５が被着されており、該パッキン１５の滑性面によって、カバー体Ｃの自由端の摺動が容易となるようにしている。
【００１４】
カバー体Ｃの自由端には、図３に示すように、端縁３の上部に端部カバー板４がヒンジ６で上下方向に回動可能に枢結されており、該端部カバー板４の外端が、カバー体Ｃの上面８と略面一となるようにして建造物Ｂの床ｆ２　の上面に摺動可能に乗載されている。そして、該端部カバー板４によって、前記作動空隙２の上方を遮蔽するようにしている。
【００１５】
前記カバー体Ｃは、矩形状の周枠と底板とによって浅底容器状に形成されており、その内底部に複数のメインバー１２ａとクロスバー１２ｂとを格子状に組み付けてなる剛性基枠部１３が配設されている。該剛性基枠部１３はグレーチングとして一般に用いられるものと同一構造であり、この剛性基枠部１３によって、カバー体Ｃ上にかかる荷重に耐え得る所定の強度を得るようにしている。また、該剛性基枠部１３の上部には、モルタルｍ及びタイルｔ等からなる床仕上材１０が充填されている。
【００１６】
前記保持手段５を図４〜図６に基づいて説明する。
保持手段５は、カバー体Ｃの一端の下部に配設されたスライダー１６と、建造物Ａの床ｆ１　の側縁に配設されて前記スライダー１６を目地ｓに沿う方向に摺動可能に支持するレール部材１７とによって構成されている。
【００１７】
レール部材１７は、図４，図５に示すように、一方の建造物Ａ側に向けて傾斜する傾斜受縁部１７ａと垂直縁部１７ｂとを備え、かつ傾斜受縁部１７ａの前端に、その前端縁を上方に曲成した係止縁部１７ｃを備えた断面略Ｌ形に形成されており、スライダー１６が前後方向（目地ｓに沿う方向）に摺動し得るように所定の長さに形成されている。前記係止縁部１７ｃは、スライダー１６の前縁に当接して該スライダー１６の脱落を防止し、かつ該スライダー１６を前後方向に案内するガイド手段となっている。また、傾斜受縁部１７ａ上には、上面にテフロンコーティング等の滑性面を形成した薄板状のパッキン１８が被着されており、該パッキン１８の滑性面によって、スライダー１６の摺動が容易となるようにしている。また、傾斜受縁部１７ａの下位側位置には、上下方向に貫通する水抜き孔２４が設けられており、該水抜き孔２４によって傾斜受縁部１７ａに溜まった雨水等を下方に排出し得るようになっている。
【００１８】
一方、前記スライダー１６は、図６に示すように、角パイプを素材に用いてカバー体Ｃの横幅と略同じ長さに形成されており、カバー体Ｃの底板に溶接或いはボルト締め等の固着手段を介して固定されている。ここで、スライダー１６の上部後縁とカバー体Ｃの下面との間には、図５，図６に示すように、所定の厚みを有するフラットバーからなるスペーサ杆１９が介装されており、これによって角パイプからなるスライダー１６を傾斜させて、該スライダー１６の下部に前記レール部材１７の傾斜受縁部１７ａと同方向に傾斜する傾斜面２０が設けられている。
【００１９】
前記レール部材１７は、図５等に示すように、断面Ｌ形のフランジ２１と溶接等の固着手段を介して一体化されている。ここで、フランジ２１の前端上面と、レール部材１７の傾斜受縁部１７ａの前端縁下面との間には、所定の厚みを有するフラットバーからなるスペーサ杆２２が介装されており、これによって傾斜受縁部１７ａの傾斜角度を保持するようにしている。そして、該フランジ２１を建造物Ａの側縁に植設されたアンカーボルト２３にナット２４で固定することにより、該フランジ２１と一体化されたレール部材１７を建造物Ａの床ｆ１　の側縁に取り付けるようにしている。また、該レール部材１７は、スライダー１６を支持した状態において、カバー体Ｃの上面８が建造物Ａの床ｆ１　の上面と略面一となる高さ位置に取り付けられる。
【００２０】
かかる構成にあって、カバー体Ｃは、常時は図１に示す定常位置で目地ｓを覆っている。ここで、図４に示すように、該カバー体Ｃの一端を支持するレール部材１７の傾斜受縁部１７ａが、一方の建造物Ａ側に向けて下方傾斜していることにより、該傾斜受縁部１７ａに支持されているスライダー１６には、該スライダー１６を一方の建造物Ａ側に向けて偏寄移動させる力が常に作用する。これにより、カバー体Ｃの一端を一方の建造物Ａの床ｆ１　の側縁に密着させておけば、定常時において、カバー体Ｃ上を人や自動車が通行することによって振動が生じても、カバー体Ｃが位置保持され、カバー体Ｃの一端と床ｆ１　の側縁との間に隙間が生じることがない。また、スライダー１６の下部に、レール部材１７の傾斜受縁部１７ａと同方向に傾斜する傾斜面２０が設けられていることにより、スライダー１６の下部がレール部材１７の傾斜受縁部１７ａに面接触し、カバー体Ｃの荷重が分散されて摩擦抵抗が低減するため、傾斜受縁部１７ａの低位側へのスライダー１６の偏寄移動を容易に行わせることができる。
【００２１】
一方、地震時において、建造物Ａと、隣接する建造物Ｂとが近接する方向に比較的小さく相対変位すると、カバー体Ｃの自由端が摺動受枠体１の水平受縁１ａ上を作動空隙２の範囲内で水平に摺動してその相対変位に追従し、さらに大きく相対変位すると、カバー体Ｃは、図７に示すように、カバー体Ｃの建造物Ａ側の一端を支点として傾動して、自由端の端縁３が、摺動受枠体１の傾斜受縁１ｂに沿ってずれ上がることにより、その相対変位から逃げることができる。この時、自由端の端縁３に枢結されている端部カバー板４が、自重により下方傾斜する状態となって建造物Ｂの床ｆ２　の上面に常時密着して摺動するため、該端部カバー板４が中空に突出することによる通行障害を防止することができる。
【００２２】
また、建造物Ａと、隣接する建造物Ｂとが離れる方向に相対変位すると、図８に示すように、カバー体Ｃは、その自由端が摺動受枠体１の水平受縁１ａ上を、傾斜受縁１ｂと逆方向に向けて水平に摺動してその相対変位に追従する。
【００２３】
そして、地震が終って建造物Ａと建造物Ｂとが定常位置に戻ると、これに伴なってカバー体Ｃの自由端も図１に示した水平受縁１ａ上の定常位置に戻り、カバー体Ｃが定常状態に復帰する。この時、カバー体Ｃの一端と床ｆ１　の側縁との間に隙間が生じている場合には、カバー体Ｃを建造物Ａ側に押圧して該隙間を塞ぐようにする。このような押圧操作時においても、スライダー１６を一方の建造物Ａ側に向けて偏寄移動させる力が常に作用していることにより、その押圧操作を容易に行うことができる。
【００２４】
また、建造物Ａと、隣接する建造物Ｂとが前後方向（目地ｓに沿う方向）に相対変位すると、図２に示すように、カバー体Ｃの自由端が建造物Ｂの立ち上がり部１４，１４によって位置規制されていることにより、カバー体Ｃの建造物Ａ側の端部が、レール部材１７に支持されたスライダー１６の摺動作用を介して前後方向に摺動し、その相対変位に追従することができる。
【００２５】
さらに、建造物Ａと、隣接する建造物Ｂとが上下方向に相対変位すると、カバー体Ｃは、保持手段５により建造物Ａの床ｆ１　の側縁に保持された一端を支点として、建造物Ａもしくは隣接する建造物Ｂの上下動に伴なって傾動して、その相対変位に追従する。
【００２６】
尚、本発明にかかる床用目地カバー装置は、免震装置によって下部が支持された免震構造の建造物以外の一般的な建造物にも適用することが可能である。
【００２７】
【発明の効果】
本発明は、上述したように、スライダー１６を支持するレール部材１７の受縁部を、一方の建造物側に向けて下方傾斜する傾斜受縁部１７ａとしたから、スライダー１６に、該スライダー１６を一方の建造物Ａ側に向けて偏寄移動させる力を常に作用させることができる。これにより、カバー体Ｃの一端を一方の建造物Ａの床ｆ１　の側縁に密着させておけば、定常時において、カバー体Ｃ上を人や自動車が通行することによって振動が生じても、カバー体Ｃが位置保持され、カバー体Ｃの一端と床ｆ１　の側縁との間に隙間が生じることがない。また、スライダー１６の下部に、レール部材１７の傾斜受縁部１７ａと同方向に傾斜する傾斜面２０が設けられていることにより、スライダー１６の下部がレール部材１７の傾斜受縁部１７ａに面接触し、カバー体Ｃの荷重が分散されて摩擦抵抗が低減するため、傾斜受縁部１７ａの低位側へのスライダー１６の偏寄移動を容易に行わせることができる等の優れた効果がある。
【図面の簡単な説明】
【図１】本発明にかかる床用目地カバー装置の施工状態を示す縦断側面図である。
【図２】カバー板Ｃの自由端の側傍に立ち上がり部１４，１４がある状態を例的に示した施工状態の概略平面図である。
【図３】端部カバー板４部分の拡大図である。
【図４】保持手段５部分の拡大図である。
【図５】図４における保持手段５部分の分離状態を示す拡大図である。
【図６】スライダー１６とレール部材１７の斜視図である。
【図７】建造物Ａと建造物Ｂとが近接する方向に相対変位した状態におけるカバー体Ｃ及び端部カバー板４の作用を示す説明図である。
【図８】建造物Ａと建造物Ｂとが離れる方向に相対変位した状態におけるカバー体Ｃの作用を示す説明図である。
【図９】従来構成の側断面図である。
【符号の説明】
Ａ　建造物
Ｂ　建造物
Ｃ　カバー体
ｆ１，ｆ２　床
ｓ　目地
１６　スライダー
１７　レール部材
１７ａ　傾斜受縁部（受縁部）
２０　傾斜面
【図１】
2004092019.tif 000003
【図２】
2004092019.tif 000004
【図３】
2004092019.tif 000005
【図４】
2004092019.tif 000006
【図５】
2004092019.tif 000007
【図６】
2004092019.tif 000008
【図７】
2004092019.tif 000009
【図８】
2004092019.tif 000010
【図９】
2004092019.tif 000011